(57)【要約】【課題】  湯船の中央でも快適に利用でき、しかも、入浴者の健康管理を促進する温泉まくらを提供する。【解決手段】  湯船に浮かべて使用するまくらであって、湯船のお湯の温度を測定する温度センサ３と、お湯の温度の値に対応した入浴時間を記憶するメモリ１ｂと、入浴者の装着を検出するボタン５と、入浴時間をカウントするタイマー１ａと、警報音を報知するスピーカ４と、入浴者の装着を検出すると、温度センサ３で測定されたお湯の温度の値を入力し、当該温度の値に対応する入浴時間をメモリ１ｂから読み込み、タイマー１ａを動作させ、タイマー１ａがカウントして当該入浴時間が満了すると、スピーカ４を動作させて警報音を報知する制御部１とを有する温泉まくらである。【選択図】        図１
2006305220.tif 000002
【特許請求の範囲】
【請求項１】
湯船に浮かべて使用するまくらであって、
測定された湯船のお湯の温度に対する入浴時間を取得し、入浴者への装着によって前記入浴時間のカウントを開始し、前記入浴時間が満了すると、警報を報知する制御部を有することを特徴とするまくら。
【請求項２】
湯船に浮かべて使用するまくらであって、
測定された入浴者の生体データを取得し、当該生体データが予め定められた範囲外となった時に、警報を報知する制御部を有することを特徴とするまくら。
【請求項３】
警報を報知する手段として、スピーカを鳴音させて報知することを特徴とする請求項１又は２記載のまくら。
【請求項４】
警報を報知する手段として、バイブレータを振動させて報知することを特徴とする請求項１又は２記載のまくら。
【請求項５】
まくら本体を空気で膨らませて形成したことを特徴とする請求項１乃至４のいずれか記載のまくら。
【請求項６】
湯船に浮かべて使用するまくらであって、
湯船のお湯の温度を測定する温度測定部と、
お湯の温度の値に対応した入浴時間を記憶する記憶部と、
入浴者の装着を検出する検出部と、
入浴時間をカウントするタイマーと、
警報を報知する報知部と、
検出部で入浴者の装着を検出すると、温度測定部で測定されたお湯の温度の値を入力し、当該温度の値に対応する入浴時間を記憶部から読み込み、タイマーを動作させ、タイマーがカウントして当該入浴時間が満了すると、報知部を動作させて警報を報知する制御部とを有することを特徴とするまくら。
【請求項７】
湯船に浮かべて使用するまくらであって、
入浴者の生体データを測定する生体データ測定部と、
生体データの適正範囲を記憶する記憶部と、
入浴者の装着を検出する検出部と、
警報を報知する報知部と、
検出部で入浴者の装着を検出すると、生体データ測定部で測定された入浴者の生体データの値を入力し、当該生体データの値が記憶部に記憶された適正範囲内か否かを判定し、適正範囲外であれば、報知部を動作させて警報を報知する制御部とを有することを特徴とするまくら。
【発明の詳細な説明】
【技術分野】
【０００１】
本発明は、温泉の湯船で使用されるまくらに係り、特に、お湯の温度に応じて入浴時間を通報し、又は入浴者の体調に応じて湯から出るよう通報する温泉まくらに関する。
【背景技術】
【０００２】
従来、温泉の湯船で利用されるまくらとして、平成１０（１９９８）年１月２８日登録の実用新案登録第３０４７５８０号「温泉まくら」がある（特許文献１）。
但し、この温泉まくらは、その図４に示す通り、湯船の縁で利用されるもので、材質は木材又はプラスッチクとなっていた。
【０００３】
【特許文献１】実用新案登録第３０４７５８０号
【発明の開示】
【発明が解決しようとする課題】
【０００４】
しかしながら、上記従来の温泉まくらでは、湯船の縁で利用するものであって、湯船の縁は誰しもがもたれかかるものであるから、人が多いと利用できるスペースが無くなってしまうという問題点があった。
【０００５】
また、湯船で使うまくらとして、お湯の温度に応じて適正な入浴時間を通報したり、入浴者の体調に応じて湯から出るよう促す通報を行うものとはなっておらず、入浴者の健康をサポートするものとはなっていないとの問題点があった。
【０００６】
本発明は上記実状に鑑みて為されたもので、湯船の中央でも快適に利用でき、しかも、入浴者の健康管理を促進する温泉まくらを提供することを目的とする。
【課題を解決するための手段】
【０００７】
上記従来例の問題点を解決するための本発明は、湯船に浮かべて使用するまくらであって、測定された湯船のお湯の温度に対する入浴時間を取得し、入浴者への装着によって入浴時間のカウントを開始し、前記入浴時間が満了すると、警報を報知する制御部を有することを特徴とする。
【０００８】
本発明は、湯船に浮かべて使用するまくらであって、測定された入浴者の生体データを取得し、当該生体データが予め定められた範囲外となった時に、警報を報知する制御部を有することを特徴とする。
【０００９】
本発明は、湯船に浮かべて使用するまくらであって、湯船のお湯の温度を測定する温度測定部と、お湯の温度の値に対応した入浴時間を記憶する記憶部と、入浴者の装着を検出する検出部と、入浴時間をカウントするタイマーと、警報を報知する報知部と、検出部で入浴者の装着を検出すると、温度測定部で測定されたお湯の温度の値を入力し、当該温度の値に対応する入浴時間を記憶部から読み込み、タイマーを動作させ、タイマーがカウントして当該入浴時間が満了すると、報知部を動作させて警報を報知する制御部とを有することを特徴とする。
【００１０】
本発明は、湯船に浮かべて使用するまくらであって、入浴者の生体データを測定する生体データ測定部と、生体データの適正範囲を記憶する記憶部と、入浴者の装着を検出する検出部と、警報を報知する報知部と、検出部で入浴者の装着を検出すると、生体データ測定部で測定された入浴者の生体データの値を入力し、当該生体データの値が記憶部に記憶された適正範囲内か否かを判定し、適正範囲外であれば、報知部を動作させて警報を報知する制御部とを有することを特徴とする。
【発明の効果】
【００１１】
本発明によれば、測定された湯船のお湯の温度に対する入浴時間を取得し、入浴者への装着によって入浴時間のカウントを開始し、前記入浴時間が満了すると、警報を報知する制御部を有するまくらとしているので、湯船のお湯の温度に適した入浴時間を入浴者に報知でき、入浴者の健康維持を図ることができる効果がある。
【００１２】
本発明によれば、測定された入浴者の生体データを取得し、当該生体データが予め定められた範囲外となった時に、警報を報知する制御部を有するまくらとしているので、入浴者の生体データが適正の範囲外となったことを入浴者に報知でき、入浴者の健康維持を図ることができる効果がある。
【００１３】
本発明によれば、湯船のお湯の温度を測定する温度測定部と、お湯の温度の値に対応した入浴時間を記憶する記憶部と、入浴者の装着を検出する検出部と、入浴時間をカウントするタイマーと、警報を報知する報知部と、検出部で入浴者の装着を検出すると、温度測定部で測定されたお湯の温度の値を入力し、当該温度の値に対応する入浴時間を記憶部から読み込み、タイマーを動作させ、タイマーがカウントして当該入浴時間が満了すると、報知部を動作させて警報を報知する制御部とを有するまくらとしているので、湯船のお湯の温度に適した入浴時間を入浴者に報知でき、入浴者の健康維持を図ることができる効果がある。
【００１４】
本発明によれば、入浴者の生体データを測定する生体データ測定部と、生体データの適正範囲を記憶する記憶部と、入浴者の装着を検出する検出部と、警報を報知する報知部と、検出部で入浴者の装着を検出すると、生体データ測定部で測定された入浴者の生体データの値を入力し、当該生体データの値が記憶部に記憶された適正範囲内か否かを判定し、適正範囲外であれば、報知部を動作させて警報を報知する制御部とを有するまくらとしているので、入浴者の生体データが適正の範囲外となったことを入浴者に報知でき、入浴者の健康維持を図ることができる効果がある。
【発明を実施するための最良の形態】
【００１５】
本発明の実施の形態について図面を参照しながら説明する。
［実施の形態の概要］
本発明の実施の形態に係る温泉まくらは、空気で膨らませ、入浴者の首に巻くように取り付けられるものであり、更に、スピーカ、温度センサ、ボタン又は光センサ、制御部を備え、ボタン又は光センサの動作によって時間カウントが開始し、温度センサで測定された温度によって適正な入浴時間をスピーカから通報するものであり、これにより、湯船の中央で快適に利用でき、更に入浴者の健康管理を促すことができるものである。
【００１６】
［全体の概要］
本発明の実施の形態に係る温泉まくらについて図１を参照しながら説明する。図１は、本発明の実施の形態に係る温泉まくらの概略図である。
本発明の実施の形態に係る温泉まくら（本まくら）は、図１に示すように、本体１０部分がＵ字形状、又は円形状で一部が開口した形状であって、制御部１と、電源２と、温度センサ３と、スピーカ４と、ボタン５を備えている。
また、本まくらは、本体１０の一部に空気注入栓１１を備え、その空気注入栓１１から空気を送り込み、本体１０を空気で膨らませる構成となっている。
【００１７】
［各部の構成］
本まくらの各部について図２を参照しながら説明する。図２は、本発明の実施の形態に係るまくらの構成を示すブロック図である。
【００１８】
［制御部］
制御部１は、本体１０の内部に設けられ、電源２から電力の供給を受け、温度センサ３で検出された温度の値を入力し、当該温度の値に応じて特定の条件でスピーカ４を鳴音させるものである。
【００１９】
制御部１は、内部に、タイマー１ａと、メモリ（記憶部）１ｂを備えている。
タイマー１ａは、時間を計測するものであり、メモリ１ｂは、温度センサ３の値に応じた入力時間を記憶したテーブルを記憶している。
制御部１における処理については後述する。
尚、制御部１内にタイマー１ａと、メモリ１ｂを設けるようにしているが、制御部１から独立した構成としてもよい。
【００２０】
［電源］
電源２は、制御部１に電力を供給する電池である。図２では、制御部１にだけ電力を供給するようになっているが、その他の構成部分、温度センサ、スピーカ４、ボタン５等にも電力を供給するようにしてもよい。
【００２１】
［温度センサ］
温度センサ（温度測定部）３は、温泉のお湯の温度を測定するものであり、測定した温度の値を制御部１に出力するものである。
温度センサとしては、半導体の温度特性を利用した半導体抵抗温度センサのサーミスタ、金属の抵抗をはかって温度を求める白金測温抵抗体、二種類の金属で回路をつくり、その二つの接合点を異なる温度に保つと熱起電力が生じ電流が流れる「ゼーベック効果」の原理を利用した熱電対、簡便な赤外線センサで、熱電対を微少な面積の中に直列に並べたサーモバイルが考えられる。
【００２２】
［スピーカ］
スピーカ４は、制御部１からの信号に従って鳴音して警報音を報知する報知部である。
図１では、報知手段として、警報音を発生させるスピーカを用いるようにしたが、音ではなく振動を発生させるバイブレータを報知手段として用いてもよい。
【００２３】
［ボタン］
まくら本体１０のＵ時又は円形の内側にボタン５が設けられており、入浴者が本まくらを首に取り付けると、ボタン５が押下されてオンとなり、オン信号が制御部１に出力されるようになっている。
また、ボタン５は、入浴者が本まくらを取り外すと元の位置に戻ってオフとなり、オフ信号が制御部１に出力されるようになっている。
【００２４】
尚、図２では、ボタンとしたが、ボタンの代わりに光センサを用いるようにしてもよい。光センサの場合も、まくら本体１０のＵ時又は円形の内側に設けられ、入浴者が装着すると、光センサがその装着を認識してオン信号を制御部１に出力し、装着を認識しなくなると、オフ信号を制御部１に出力するようになっている。
つまり、ボタン又は光センサは、入浴者の装着を検出する検出部である。
【００２５】
［本まくらの処理］
本まくらにおける処理動作を説明する。
本まくらは、入浴者が本まくらを首に取り付けると、ボタン５が押下されてオンとなり、オン信号が制御部１に出力される。すると、温度センサ３で測定された温度が制御部１に入力され、測定された温度に対応した入浴時間をメモリ１ｂのテーブルから読み出し、タイマー１ａを起動させる。そして、タイマー１ａでカウントされる時間がテーブルから読み出された時間になると、制御部１は、スピーカ４を鳴音させる信号を出力し、その信号に従ってスピーカ４が鳴音して適正な入浴時間となったことを入浴者に報知する。
そして、入浴者が本まくらを首から取り外すと、ボタン５がオフとなり、オフ信号が制御部１に入力され、一連の処理を終了する。
【００２６】
［制御部の処理］
制御部１の処理について図３を参照しながら説明する。図３は、制御部１の処理を示すフローチャートである。
制御部１は、図３に示すように、入浴者が本まくらを湯船で装着すると、首が接触する部分に設けられたボタン５が押下され、当該ボタン５の押下によってオン信号が制御部１に入力されて処理が開始する。
ボタン５の代わりに光センサを設けている場合には、当該光センサが入浴者を検知してオン信号を制御部１に出力して、制御部１での処理を開始するものである。
【００２７】
制御部１での処理が開始されると、温度センサ３において測定されたお湯の温度の値を入力し（Ｓ１）、メモリ１ｂ内のテーブルを参照し、当該温度の値に対応する入浴時間を読み取る（Ｓ２）。
そして、制御部１は、タイマー１ａをスタートさせ（Ｓ３）、処理Ｓ２で読み取った時間となったか否かを判定する（Ｓ４）。その判定処理Ｓ４により、当該入浴時間となった（経過した）ならば（Ｙｅｓの場合）、スピーカ４を鳴音させ、適正な入浴時間が終了したことを報知する（Ｓ５）。
【００２８】
［本実施の形態の効果］
本まくらは、本体１０を空気で膨らませる構成としているので、湯船の中央であっても、頭をお湯の上に浮かすことができ、リラックスして入浴できる効果があり、更に、お湯の温度の値に応じて適正な入浴時間を入浴者に報知できるので、入浴者の健康維持に役立てることができる効果がある。
【００２９】
［応用例］
応用例として、本まくらの入浴者の首が当たる部分に、脈拍等の生体データを測定する生体測定器６を設け、測定された生体データの値が特定の範囲（適正な範囲）から外れた否かを判定し、適正範囲を外れた場合には、スピーカ４を鳴音して、入浴者の異常を報知するものである。
これにより、入浴者の健康維持を図り、湯船での事故を未然に防ぐことができる効果がある。
【００３０】
上記応用例の構成について図４、図５を参照しながら説明する。図４は、応用例の温泉まくらの概略図であり、図５は、まくらの構成を示すブロック図である。
図４、図５のまくらは、図１のまくらと基本的には同様であり、相違する点は、生体データを測定する生体測定器６を備え、制御部１での処理が異なっている。
以下、相違する部分について説明する。
【００３１】
［生体測定器］
生体測定器（生体データ測定部）６は、脈拍等の生体データを測定し、測定した値を制御部１に出力するものである。尚、生体データとしては、複数のデータを測定して制御部１に出力するようにしてもよい。
【００３２】
［制御部］
応用例の制御部１は、内部のメモリ１ｂに測定される生体データに対応した適正範囲の値を記憶している。測定される生体データが複数種類ある場合は、複数種類に対応する適正範囲を記憶している。
応用例の制御部１の処理は以下に具体的に説明する。
また、報知手段として、スピーカの代わりにバイブレータを用いてもよい。
【００３３】
［制御部の処理］
応用例の制御部１の処理について図６を参照しながら説明する。図６は、応用例の制御部１の処理を示すフローチャートである。
入浴者が応用例のまくらを湯船で装着すると、首が接触する部分に設けられたボタン５が押下され、当該ボタン５の押下によってオン信号が制御部１に入力されて処理が開始する。ボタン５の代わりに光センサであってもよい。
【００３４】
応用例の制御部１は、ボタン５からのオン信号で起動し、生体測定器６で測定された生体データの値を入力し（Ｓ１１）、生体データに対応する適正範囲の値をメモリ１ｂから読み込み（Ｓ１２）、想定された適正範囲内に生体データの値があるか否かを決定する（Ｓ１３）。
生体データが複数種類ある場合には、制御部１は、種類毎に適正範囲内か否かを判定し、いずれか一つでも適正範囲外であれば、警報を報知するようにしている。
【００３５】
判定処理Ｓ１２において、生体データの値が適正範囲でなければ（Ｎｏ．の場合）、スピーカを鳴音させて、入浴者の生体データに異常があることを報知し（Ｓ１４）、処理を終了する。
また、判定処理Ｓ１３において、生体データの値が適正範囲内にあれば（Ｙｅｓの場合）、次に、スイッチ５がオン状態であるか否か、つまり、スイッチ５がオフとなってオフ信号が入力されていないかを判定し（Ｓ１５）、スイッチ５がオン状態であれば（Ｙｅｓの場合）、処理Ｓ１１に戻る。スイッチ５がオフ状態であれば（Ｎｏの場合）、処理を終了する。
【００３６】
［応用例の効果］
応用例のまくらによれば、入浴者の生体データを測定して適正範囲内でなければ、入浴者の健康状態が良好でないとして警報を報知するようにしているので、入浴者の健康状態を良好に保つことができ、更に入浴者の異常を早期に発見して、湯船における事故を未然に防ぐことができる効果がある。
【００３７】
［その他］
本まくら及び応用例のまくらにおいて、報知手段としてスピーカ又はバイブレータを説明したが、それらに替えて、若しくはそれらと併用して発光ダイオード（ＬＥＤ：Light Emitting Diode）を設け、報知させる時に点滅させるようにしてもよい。
【産業上の利用可能性】
【００３８】
本発明は、湯船の中央でも快適に利用でき、しかも、入浴者の健康管理を促進する温泉まくらに好適である。
【図面の簡単な説明】
【００３９】
【図１】本発明の実施の形態に係る温泉まくらの概略図である。
【図２】本発明の実施の形態に係るまくらの構成を示すブロック図である。
【図３】制御部１の処理を示すフローチャートである。
【図４】応用例の温泉まくらの概略図である。
【図５】まくらの構成を示すブロック図である。
【図６】応用例の制御部１の処理を示すフローチャートである。
【符号の説明】
【００４０】
１…制御部、  １ａ…タイマー、  １ｂ…メモリ、  ２…電源、  ３…温度センサ、  ４…スピーカ、  ５…ボタン、  ６…生体測定器、  １０…本体、  １１…空気注入栓
【図１】
2006305220.tif 000003
【図２】
2006305220.tif 000004
【図３】
2006305220.tif 000005
【図４】
2006305220.tif 000006
【図５】
2006305220.tif 000007
【図６】
2006305220.tif 000008